(57)【要約】　　　（修正有）【課題】音声通話状態では画像処理部に対する不要な消費電力を抑えてより長い待受け時間を提供し、無線部に対する画像処理部からのノイズの影響を抑制すること。【解決手段】受話部が話者の耳と接触したことを感知する受話部感知手段１と、画像表示部１１と画像を撮像する画像撮像手段１２と画像を送信するための画像処理を行う画像処理手段１５とからなる画像処理部１３と、画像処理部１３に対する電力供給を制御する電力供給制御手段４とを備え、受話部感知手段による感知後に電力供給制御手段により電力の供給を遮断ないし低減することにより、音声通話状態における消費電力を減少し、より良い通話品質を提供することができる。【選択図】　図１
2004064163.tif 000002
【特許請求の範囲】
【請求項１】
受話部が話者の耳と接触したことを感知する受話部感知手段と、画像表示部と画像を撮像する画像撮像手段と前記画像を送信するための画像処理を行う画像処理手段とからなる画像処理部と、前記画像処理部に対する電力供給を制御する電力供給制御手段とを備え、前記受話部感知手段による感知後に前記電力供給制御手段により電力の供給を遮断ないし低減することを特徴とする移動通信装置。
【請求項２】
キーパッド部と、前記キーパッド部を点灯する点灯手段を備え、前記電力供給制御手段は、前記受話部感知手段に対する耳の接触を感知したときに、前記点灯手段および前記画像処理部に対する電力の供給を遮断ないし低減することを特徴とする請求項１記載の移動通信装置。
【請求項３】
キーパッド部と、前記キーパッド部を点灯する点灯手段を備え、前記電力供給制御手段は、待受け状態から音声通話状態に移行したときに、前記点灯手段および前記画像処理部に対する電力の供給を遮断ないし低減することを特徴とする請求項１記載の移動通信装置。
【請求項４】
前記受話部の近傍に備えられ、前記受話部が話者の耳と接触したことを感知する第１のセンサと、側部に設けられ手で握られたことを感知する第２および第３のセンサとを備え、前記電力供給制御手段は、前記第２および前記第３のセンサが感知した状態において前記第１のセンサが感知したときに電力の供給を遮断ないし低減することを特徴とする請求項１ないし３のいずれかに記載の移動通信装置。
【請求項５】
テレビ電話状態または待受け状態から音声通話状態に移行したときに、音声の出力を拡声スピーカからレシーバに自動的に切り替える切替え手段と、前記テレビ電話状態または前記待受け状態から前記音声通話状態に移行したときに、マイクの感度を自動的に制御する音声処理部とを備えることを特徴とする請求項１ないし４のいずれかに記載の移動通信装置。
【請求項６】
前記電力供給制御手段は、前記待受け状態から前記音声通話状態に移行したときに、前記画像表示部の輝度を制御する輝度制御手段を有することを特徴とする請求項１ないし５のいずれかに記載の移動通信装置。
【発明の詳細な説明】
【０００１】
【発明の属する技術分野】
本発明は、電力供給を制御乃至停止して消費電力を節減する移動通信装置に関するものである。
【０００２】
【従来の技術】
従来、この種の移動通信装置としては図３に示すようなものがあった。図３は特開平１０−１９０７８６号広報に記載された従来の移動通信装置のブロック図である。図３に示す移動通信装置は、移動通信装置に触れたことを感知するタッチセンサおよびバッテリセンサを含む感知手段１と、ＬＣＤ１１およびＬＥＤ１４やその他の機能に電力を供給する電源５と、画像を表示するＬＣＤ１１と、キーパッド部のキー等を発光する発光ダイオードからなるＬＥＤ１４と、移動通信装置全体を制御するＣＰＵ２と、移動通信装置に組み込まれているＬＥＤ１４およびＬＣＤ１１への電力供給を停止または制御する電力供給制御手段４とを備えている。従来の移動通信装置は、このように構成し、移動通信装置の音声通話状態では液晶のＬＣＤ１１に対する電源を切るなどして、音声通話状態における消費電力を減少することにより、電源の使用時間を延長可能にして、待受け時間や通話期間を長持ちさせる。
【０００３】
【発明が解決しようとする課題】
しかしながら、テレビ電話機能としてのカメラモジュールを含む画像処理部を備える移動通信装置においては、その画像処理部から発生するノイズが無線部に与える影響が大きく通話品質が低下するだけでなく、消費電力が増加して、待受け時間ないし通話時間に使用する時間が減少してしまい、使用者に十分なサービスを提供することができないという問題があった。そのため、特に、テレビ電話機能を持つ移動通信装置においては、音声通話状態のときに、ＬＥＤ１４およびＬＣＤ１１への電力供給を停止または制御するのみでなく、画像処理部全体に対して消費電力を停止しまたは制御して、消費電力を削減することが必要であるという問題があった。
【０００４】
本発明は、上記従来の問題を解決するためになされたもので、音声通話状態において画像処理部やＬＥＤに対する不要な消費電力を抑えて、より長い待受け時間および通話時間を提供するとともに、無線部に対するＬＥＤおよび画像処理部からのノイズによる影響を抑制する移動通信装置を提供するものである。
【０００５】
【課題を解決するための手段】
本発明における移動通信装置は、受話部が話者の耳と接触したことを感知する受話部感知手段と、画像表示部と画像を撮像する画像撮像手段と前記画像を送信するための画像処理を行う画像処理手段とからなる画像処理部と、前記画像処理部に対する電力供給を制御する電力供給制御手段とを備え、前記受話部感知手段による感知後に前記電力供給制御手段により電力の供給を遮断ないし低減するという構成を有している。この構成により、テレビ電話状態から音声通話状態に移行した際、感知手段の感知に従い、画像処理部に対する内部電源からの電力供給を制御または停止させることにより、音声通話状態における消費電力を減少することができ、さらに画像処理部から発生するノイズの無線部に対する影響を抑制して、より長い待受け時間と通話時間を取得し、より良い通話品質を得ることができる。
【０００６】
本発明における移動通信装置は、前記電力供給制御手段が、前記受話部感知手段に対する耳の接触を感知したときに、キーパッド部を点灯する点灯手段および前記画像処理部に対する電力の供給を遮断ないし低減するという構成を有している。この構成により、テレビ電話状態から音声通話状態に移行した際、感知手段の感知に従い、キーパッド部の点灯手段と画像表示部およびカメラモジュールを含む画像処理部への内部電源からの電力供給を制御または停止させることにより、音声通話状態における消費電力を減少することができ、さらに点灯手段と画像表示部及びカメラモジュールから発生するノイズの無線部に対する影響を抑制して、より長い待受け時間と通話時間を取得し、より良い通話品質を得ることができる。
【０００７】
本発明における移動通信装置は、前記電力供給制御手段が、待受け状態から音声通話状態に移行したときに、キーパッド部を点灯する点灯手段および前記画像処理部に対する電力の供給を遮断ないし低減するという構成を有している。この構成により、待受け状態から音声通話状態に移行したときには、キーパッド部の点灯手段および画像処理部に対する内部電源からの電力供給を制御または停止させることにより、音声通話状態における消費電力を減少することができ、さらに画像処理部から発生するノイズの無線部に対する影響を抑制して、より長い待受け時間と通話時間を取得し、より良い通話品質を得ることができる。
【０００８】
本発明における移動通信装置は、前記受話部の近傍に備えられ、前記受話部が話者の耳と接触したことを感知する第１のセンサと、前記移動通信装置の側部に設けられ手で握られたことを感知する第２および第３のセンサとを備え、前記電力供給制御手段は、前記第２および前記第３のセンサが手で握られた状態において前記第１のセンサが感知したときに電力の供給を遮断ないし低減するという構成を有している。この構成により、受話部における第１のセンサの他、移動通信装置の側部に第２および第３のセンサを用いて、話者が意図的に接触したことを感知させることにより、意図せずに電力供給制御手段が作動してしまう誤作動を防止することができる。
【０００９】
本発明における移動通信装置は、テレビ電話状態または待受け状態から音声通話状態に移行したときに、音声の出力を拡声スピーカからレシーバに自動的に切り替える切替え手段と、前記テレビ電話状態または前記待受け状態から前記音声通話状態に移行したときに、マイクの感度を自動的に制御する音声処理部とを備えるという構成を有している。この構成により、テレビ電話状態またはデータ通信利用時や音楽視聴時でスピーカを使用している状態から音声通話状態に移行したときに、音声通話用のレシーバに自動的に切り替えることができ、マイクの感度を自動的に制御することにより、容易に音声通話状態に移行することができる。
【００１０】
本発明における移動通信装置は、前記電力供給制御手段が、前記待受け状態から前記音声通話状態に移行したときに、前記画像表示部の輝度を制御する輝度制御手段を有するという構成を有している。この構成により、待受け状態から音声通話状態に移行したときに、画像表示部の輝度を制御するようにしたことにより、効率良く消費電力を減少することができる上、画像表示部から発生するノイズの無線部への影響を抑えて、より長い待受け時間と通話時間を取得し、より良い通話品質を与えることができる。
【００１１】
【発明の実施の形態】
以下、添付図面に基づき、本発明の第１および第２の実施の形態を詳細に説明する。
まず、図１のブロック図を参照して、本発明の第１の実施の形態における移動通信装置の構成を説明する。本実施の形態における移動通信装置は、移動通信装置の受話部の近傍に備えられ話者に接触したことを感知する受話部感知手段としての感知手段１と、この移動通信装置全体を制御するＣＰＵ２と、画像を表示する液晶からなる画像表示部としてのＬＣＤ１１と、キーパッド部の各キーを点灯する点灯手段としてのＬＥＤ１４と、カメラモジュール１２とＬＣＤ１１と画像処理手段１５とを含む画像処理部１３と、音声を変復調し感度を制御する音声処理部６と、ＬＣＤ１１を含む画像処理部１３とＬＥＤ１４およびその他の機能に電力を供給する電源５と、音声通話状態においてＬＣＤ１１を含む画像処理部１３およびＬＥＤ１４に対して電力を供給し、停止しまたは抑制する電力供給制御手段４とを備えている。
【００１２】
さらに、電力供給制御手段４は、テレビ電話状態または待受け状態から音声通話状態に移行したときに、画像表示部１１の輝度を制御する輝度制御手段（図示せず）を備えることができる。
【００１３】
次に、図１を参照して、本発明の第１の実施の形態における移動通信装置の動作を説明する。本実施の形態では、テレビ電話等の通話状態において、移動通信装置の受話部の近傍に備えられた感知手段１により、話者の耳が接触したことを感知すると、電力供給制御手段４によりＬＣＤ１１とカメラモジュール１２と画像処理手段１５を含む画像処理部１３に対し、またキーパッド部の点灯手段としてのＬＥＤ１４に対する電源５からの電力供給を抑制または停止するよう動作する。これによって、音声通話状態における消費電力を減少することができる。
【００１４】
このように、本実施の形態における、移動通信装置の電力供給制御手段４は音声通話状態では、ＬＣＤ１１およびＬＥＤ１４のみでなく、カメラモジュール１２および画像処理手段１５を含む画像処理部１３全体に対する内部電源からの電力供給を抑制または停止することにより、より電力供給を削減することができる。
【００１５】
次に、図２を参照して、本発明の第２の実施の形態における移動通信装置について説明する。本実施の形態における移動通信装置は、感知手段１として、移動通信装置２１の受話部近傍に設けたタッチセンサからなる第１のセンサ２２の他に、移動通信装置２１の側部に設けたタッチセンサからなる第２および第３の感知手段としての第２および第３のセンサ２３、２４を有する点で、本発明の第１の実施の形態とは異なる。
【００１６】
音声通話する場合、話者は移動通信装置２１を手で握り、耳の近傍に位置付けする。従って、音声通話する場合は必然的に話者の手が第２および第３のセンサ２３、２４に接触することになり、その後に第１のセンサ２２に接触することにより、電力供給制御手段４を作動させて音声通話状態になる。従って、第２および第３のセンサ２３、２４に接触することなく、第１のセンサ２２に接触しただけでは電力供給制御手段４を作動させてしまうことはない。このように、音声通話する場合、第１ないし第３のセンサ２１〜２４を用いることにより、使用者が意図せずに第１のセンサ２２に接触しただけで電力供給制御手段４を作動させてしまうようなことを防止することができる。
【００１７】
次に、図１を参照して、本発明の第３の実施の形態における移動通信装置について説明する。本実施の形態における移動通信装置は、音声通話状態に移行したことを電力供給制御手段４に通知する手段として、例えば、キーパッド部における、通話ボタンのようなキースイッチ３に組み込まれ、キースイッチ３の押圧により音声通話状態に入ったことを電力供給制御手段４に通知するようにした点で第１の実施の形態と異なる。なお、音声通話状態に入ったことを通知するキースイッチ３は通話ボタンに限らず、他の如何なるキーに組み込むようにしてもよい。
【００１８】
このように構成することにより、本実施の形態における移動通信装置は、キースイッチ３の操作により待受け状態から音声通話状態に移行することができるとともに、音声通話状態にあることをＣＰＵ２を介して電力供給制御手段４に知らせ、電力供給制御手段４を通して供給される、電源５からのＬＣＤ１１とカメラモジュール１２を含む画像処理部１３、およびＬＥＤ１４への電力供給を制御または停止するよう動作する。これによって、音声通話状態における内部電源の消費電力を削減することができる。
また、キーの操作に関係無く、移動通信装置が音声通話状態になったときはいつでも、電力供給制御手段４により自動的に画像処理部１３およびＬＥＤ１４に対する電力供給の制御または停止を行うようにしてもよい。
【００１９】
また、本発明の実施の形態では、受話部の近傍に備えられた感知手段１による感知、またはキースイッチ３の押圧により、拡声スピーカ９からレシーバ８に作動機能を自動的に移行する切替え手段７と、自動的にマイク１０の感度制御を行う音声処理部６とを備える。これによりテレビ電話状態または待受け状態で使用する拡声スピーカから音声通話状態で使用するレシーバに自動的に移行するができ、また自動的にマイク１０の感度制御を行うことができる。
【００２０】
なお、上記本発明の実施の形態における移動通信装置に用いる感知手段としては、話者に接触したことを感知するタッチセンサの他、温度センサ、圧力センサ、赤外線センサ、およびＢｌｕｅ　ｔｏｏｔｈを利用したセンサ等も使用することができる。
また、他の形態の感知手段としては、現在の状態を感知するのみでなく、例えば、時間により電力を制御する時間センサ、または昼夜の温度差を利用して夜寒くなると電力を制御する昼夜温度センサ、または照度を感知して明るくなると電力を制御する昼夜照度センサ、更に衝撃を感知すると電力の供給を停止する動作感知センサなどを適用することができる。
【００２１】
【発明の効果】
本発明における移動通信装置は、上記のように構成され、特に、テレビ電話状態または待受け状態から音声通話状態に移行したときに、ＬＥＤ、およびＬＣＤとカメラモジュールと画像処理手段を含む画像処理部全体に対する内部電源からの電力供給を抑制または停止することにより、より電力供給を削減することができる上、画像処理部からのノイズの発生を抑えて、より長い電源持ち時間と最良の通話品質を提供することができる。
【図面の簡単な説明】
【図１】本発明の第１の実施の形態における移動通信装置の構成を示すブロック図、
【図２】本発明の第２の実施の形態における移動通信装置の構成を示す正面図、
【図３】従来の移動通信装置の構成を示すブロック図。
【符号の説明】
１　感知手段
２　ＣＰＵ
３　キースイッチ
４　電力供給制御手段
５　電源
６　音声処理部
７　レシーバと拡声スピーカの切替え手段
８　レシーバ
９　拡声スピーカ
１０　マイク
１１　画像表示部（ＬＣＤ）
１２　カメラモジュール
１３　画像処理部
１４　点灯手段（ＬＥＤ）
１５　画像処理手段
２１　移動通信装置
２２　第１のセンサ
２３　第２のセンサ
２４　第３のセンサ
【図１】
2004064163.tif 000003
【図２】
2004064163.tif 000004
【図３】
2004064163.tif 000005